(57)【要約】【課題】パネル状態等の不要な情報の影響を受けることなく、送信側の端末で表示された画面を受信側の端末で再現できる画面データ送信端末、画面データ受信端末、画面伝送システム、画面データ送信プログラム、画面データ受信プログラム、画面データ送信方法および画面データ受信方法を提供する。【解決手段】表示画面のデータを送信する画面データ送信端末１００であって、受信した元の画像データの画調に、ユーザ１５０により設定されるユーザ設定情報を反映させる送信側画調反映部と、ユーザ設定情報を反映させた画面を表示する送信側表示部と、ユーザ設定情報を取得する送信側画面データ管理部と、を備え、送信側画面データ管理部は、元の画像データおよび取得されたユーザ設定情報を送信し、送信先の端末２００で送信されたデータを用いて表示画面を再現可能にする。【選択図】図１
2010288117.tif 000002
【特許請求の範囲】
【請求項１】
表示画面のデータを送信する画面データ送信端末であって、
受信した元の画像データの画調に、ユーザにより設定されるユーザ設定情報を反映させる送信側画調反映部と、
前記ユーザ設定情報を反映させた画面を表示する送信側表示部と、
前記ユーザ設定情報を取得する送信側画面データ管理部と、を備え、
前記送信側画面データ管理部は、前記元の画像データおよび前記取得されたユーザ設定情報を含む画面データを送信し、
送信先の端末で前記送信された画面データを用いて表示画面を再現可能にすることを特徴とする画面データ送信端末。
【請求項２】
前記送信側画調反映部は、前記元の画像データの画調に、画質を決める画質用情報および画面表示用のパネルの特性を決めるパネル用情報を反映させ、
前記送信側画面データ管理部は、前記画質用情報およびパネル用情報を取得し、前記画面データに前記画質用情報およびパネル用情報を含めて送信することを特徴とする請求項１記載の画面データ送信端末。
【請求項３】
前記元の画像データを一時的に記憶する表示プレーン部と、
前記記憶された元の画像データを取得するキャプチャ部と、を更に備えることを特徴とする請求項１または請求項２記載の画面データ送信端末。
【請求項４】
前記取得された元の画像データを圧縮する画像圧縮部を更に備えることを特徴とする請求項３記載の画面データ送信端末。
【請求項５】
前記送信側画面データ管理部は、前記画面データを送信するタイミングを管理することを特徴とする請求項１から請求項４のいずれかに記載の画面データ送信端末。
【請求項６】
前記送信側画面データ管理部は、前記画面データの送信中に、前記画面データの送信中であることを前記送信側表示部に表示することを特徴とする請求項１から請求項５のいずれかに記載の画面データ送信端末。
【請求項７】
画面データ送信端末の表示画面のデータを受信する画面データ受信端末であって、
前記画面データ送信端末で受信された元の画像データおよび前記画面データ送信端末でユーザにより設定されたユーザ設定情報を含む画面データを受信する受信側通信部と、
前記ユーザ設定情報を前記元の画像データの画調に反映させる受信側画調反映部と、
前記ユーザ設定情報を反映させた画面を表示する受信側表示部と、を備え、
前記画面データ送信端末の表示画面を再現可能にすることを特徴とする画面データ受信端末。
【請求項８】
前記受信側通信部は、前記画面データとして、前記画面データ送信端末の画質用情報およびパネル情報を含むデータを受信し、
前記受信側画調反映部は、前記元の画像データの画調に、画質を決める画質用情報および画面表示用のパネルの特性を決めるパネル用情報を反映させることを特徴とする請求項７記載の画面データ受信端末。
【請求項９】
請求項１から請求項６のいずれかに記載の画面データ送信端末と、
請求項７または請求項８記載の画面データ受信端末と、を備え、
前記画面データ送信端末は、前記画面データ受信端末からの遠隔操作を受けることを特徴とする画面データ伝送システム。
【請求項１０】
表示画面のデータを送信する画面データ送信プログラムであって、
ユーザにより設定されるユーザ設定情報を取得する処理と、
受信した元の画像データおよび前記取得されたユーザ設定情報を含む画面データを送信する処理と、を画面データ送信端末に実行させ、
前記送信された画面データを用いて画面データ受信端末で表示画面を再現可能にすることを特徴とする画面データ送信プログラム。
【請求項１１】
画面データ送信端末の表示画面のデータを受信する画面データ受信プログラムであって、
前記画面データ送信端末で受信された元の画像データおよび前記画面データ送信端末でユーザにより設定されたユーザ設定情報を含む画面データを受信する処理と、
前記ユーザ設定情報を前記元の画像データの画調に反映させる処理と、
前記ユーザ設定情報を反映させた画面を表示する処理と、を画面データ受信端末に実行させ、
前記画面データ送信端末の表示画面を再現可能にすることを特徴とする画面データ受信プログラム。
【請求項１２】
画面データ送信端末において、表示画面のデータを送信する画面データ送信方法であって、
ユーザにより設定されるユーザ設定情報を取得するステップと、
受信した元の画像データおよび前記取得されたユーザ設定情報を含む画面データを送信するステップと、を含み、
前記送信された画面データを用いて画面データ受信端末で表示画面を再現可能にすることを特徴とする画面データ送信方法。
【請求項１３】
画面データ受信端末において、画面データ送信端末の表示画面のデータを受信する画面データ受信方法であって、
前記画面データ送信端末で受信された元の画像データおよび前記画面データ送信端末でユーザにより設定されたユーザ設定情報を含む画面データを受信するステップと、
前記ユーザ設定情報を前記元の画像データの画調に反映させるステップと、
前記ユーザ設定情報を反映させた画面を表示するステップと、を含み、
前記画面データ送信端末の表示画面を再現可能にすることを特徴とする画面データ受信方法。
【発明の詳細な説明】
【技術分野】
【０００１】
本発明は、表示画面のデータを送信する画面データ送信端末、画面データ受信端末、画面データ伝送システム、画面データ送信プログラム、画面データ受信プログラム、画面データ送信方法および画面データ受信方法に関する。
【背景技術】
【０００２】
近年、ＴＶや家電など多様な機器がネットワークを介して結ばれるようになり、これらの機器の状態を遠隔で操作、監視するための技術開発が盛んに行われている。例えば、画像データを、遠隔の端末に伝送し表示する技術としてリモートデスクトップなどが挙げられる。
【０００３】
このような技術分野では、伝送する画像データが同一であっても、各表示装置の種類や出力特性の相違により、同一の表示画面を再現するのは難しい。そして、送信側に表示された色を、正確に再現することが要求される。これに対し、画像データと、ディスプレイのモニタプロファイル情報を送り、受信側でモニタプロファイル情報を考慮した表示を行うことで、装置の種類や出力特性の相違を克服し、送信側で表示された色を受信側で再現しようとする技術もある。
【０００４】
ところが、上記の方法では、各端末から各ディスプレイのパネルの設定情報までは見ることができないため、パネルの設定情報の違いにより、色を正確に再現できない場合がある。上記問題を解決するために、特許文献１記載の画面データ伝送システムでは、送信側の表示画像と、表示画面にサンプル画像を表示してそれを測色計で測定し取得した画面データ情報を送信し、受信側測色計で測定し取得した画面データ情報で上記データとを用いて、送信側と同じ表示画面になるように表示画像を生成している。
【先行技術文献】
【特許文献】
【０００５】
【特許文献１】特開２００２−２１８２６１号公報
【発明の概要】
【発明が解決しようとする課題】
【０００６】
しかしながら、上記の方法では、送信側と受信側の各表示画面に測定用画像データを表示する必要がある。そして、測色計で測定する部分の汚れや映り込みなど表示装置のパネルの状態まで拾うことで測色データ値が変化し、誤った画面表示情報を伝送してしまう可能性があった。
【０００７】
本発明は、このような事情を鑑みてなされたものであり、パネル状態等の不要な情報の影響を受けることなく、送信側の端末で表示された画面を受信側の端末で再現できる画面データ送信端末、画面データ受信端末、画面データ伝送システム、画面データ送信プログラム、画面データ受信プログラム、画面データ送信方法および画面データ受信方法を提供することを目的とする。
【課題を解決するための手段】
【０００８】
（１）上記の目的を達成するため、本発明の画面データ送信端末は、表示画面のデータを送信する画面データ送信端末であって、受信した元の画像データの画調に、ユーザにより設定されるユーザ設定情報を反映させる送信側画調反映部と、前記ユーザ設定情報を反映させた画面を表示する送信側表示部と、前記ユーザ設定情報を取得する送信側画面データ管理部と、を備え、前記送信側画面データ管理部は、前記元の画像データおよび前記取得されたユーザ設定情報を含む画面データを送信し、送信先の端末で前記送信された画面データを用いて表示画面を再現可能にすることを特徴としている。これにより、パネル状態等の不要な情報の影響を受けることなく、送信側の端末で表示された画面を受信側の端末で再現できる。その結果、同じ画面を再現し、ユーザ設定の誤りを発見することができる。
【０００９】
（２）また、本発明の画面データ送信端末は、前記送信側画調反映部が、前記元の画像データの画調に、画質を決める画質用情報および画面表示用のパネルの特性を決めるパネル用情報を反映させ、前記送信側画面データ管理部は、前記画質用情報およびパネル用情報を取得し、前記画面データに前記画質用情報およびパネル用情報を含めて送信することを特徴としている。これにより、端末固有の画質用情報やパネル情報を反映して画面を再現することができる。
【００１０】
（３）また、本発明の画面データ送信端末は、前記元の画像データを一時的に記憶する表示プレーン部と、前記記憶された元の画像データを取得するキャプチャ部と、を更に備えることを特徴としている。これにより、元の画像データのみを取得することができ、余分な情報を省くことができる。
【００１１】
（４）また、本発明の画面データ送信端末は、前記取得された元の画像データを圧縮する画像圧縮部を更に備えることを特徴としている。元の画像データと設定データとを分けるため、元の画像を圧縮することも可能であり、効率的な送受信が可能となる。
【００１２】
（５）また、本発明の画面データ送信端末は、前記送信側画面データ管理部が、前記画面データを送信するタイミングを管理することを特徴としている。これにより、キャプチャ画像データが変化したときに送信したり、表示フレーム更新ごとに送信したり、状況に応じて効率的な送受信を可能とする。
【００１３】
（６）また、本発明の画面データ送信端末は、前記送信側画面データ管理部が、前記画面データの送信中に、前記画面データの送信中であることを前記送信側表示部に表示することを特徴としている。これにより、ユーザは画面データの送信中であることを知ることができ、オペレータとの同じ画面を見ながら話すことができる。
【００１４】
（７）また、本発明の画面データ受信端末は、画面データ送信端末の表示画面のデータを受信する画面データ受信端末であって、前記画面データ送信端末で受信された元の画像データおよび前記画面データ送信端末でユーザにより設定されたユーザ設定情報を含む画面データを受信する受信側通信部と、前記ユーザ設定情報を前記元の画像データの画調に反映させる受信側画調反映部と、前記ユーザ設定情報を反映させた画面を表示する受信側表示部と、を備え、前記画面データ送信端末の表示画面を再現可能にすることを特徴としている。これにより、受信側で送信側の画面を再現することができる。
【００１５】
（８）また、本発明の画面データ受信端末は、前記画面データとして、前記画面データ送信端末の画質用情報およびパネル情報を含むデータを受信し、前記受信側画調反映部は、前記元の画像データの画調に、画質を決める画質用情報および画面表示用のパネルの特性を決めるパネル用情報を反映させることを特徴としている。これにより、端末固有の画質用情報やパネル情報を反映して画面を再現することができる。
【００１６】
（９）また、本発明の画面データ伝送システムは、上記の画面データ送信端末と、上記の画面データ受信端末と、を備え、前記画面データ送信端末は、前記画面データ受信端末からの遠隔操作を受けることを特徴としている。これにより、ユーザとオペレータが同じ画面を見ながらオペレータによる遠隔操作が可能になる。
【００１７】
（１０）また、本発明の画面データ送信プログラムは、表示画面のデータを送信する画面データ送信プログラムであって、ユーザにより設定されるユーザ設定情報を取得する処理と、受信した元の画像データおよび前記取得されたユーザ設定情報を含む画面データを送信する処理と、を画面データ送信端末に実行させ、前記送信された画面データを用いて画面データ受信端末で表示画面を再現可能にすることを特徴としている。これにより、パネル状態等の不要な情報の影響を受けることなく、送信側の端末で表示された画面を受信側の端末で再現できる。
【００１８】
（１１）また、本発明の画面データ送信プログラムは、画面データ送信端末の表示画面のデータを受信する画面データ受信プログラムであって、前記画面データ送信端末で受信された元の画像データおよび前記画面データ送信端末でユーザにより設定されたユーザ設定情報を含む画面データを受信する処理と、前記ユーザ設定情報を前記元の画像データの画調に反映させる処理と、前記ユーザ設定情報を反映させた画面を表示する処理と、を画面データ受信端末に実行させ、前記画面データ送信端末の表示画面を再現可能にすることを特徴としている。これにより、パネル状態等の不要な情報の影響を受けることなく、送信側の端末で表示された画面を受信側の端末で再現できる。
【００１９】
（１２）また、本発明の画面データ送信方法は、画面データ送信端末において、表示画面のデータを送信する画面データ送信方法であって、ユーザにより設定されるユーザ設定情報を取得するステップと、受信した元の画像データおよび前記取得されたユーザ設定情報を含む画面データを送信するステップと、を含み、前記送信された画面データを用いて画面データ受信端末で表示画面を再現可能にすることを特徴としている。これにより、パネル状態等の不要な情報の影響を受けることなく、送信側の端末で表示された画面を受信側の端末で再現できる。
【００２０】
（１３）また、本発明の画面データ送信方法は、画面データ受信端末において、画面データ送信端末の表示画面のデータを受信する画面データ受信方法であって、前記画面データ送信端末で受信された元の画像データおよび前記画面データ送信端末でユーザにより設定されたユーザ設定情報を含む画面データを受信するステップと、前記ユーザ設定情報を前記元の画像データの画調に反映させるステップと、前記ユーザ設定情報を反映させた画面を表示するステップと、を含み、前記画面データ送信端末の表示画面を再現可能にすることを特徴としている。これにより、パネル状態等の不要な情報の影響を受けることなく、送信側の端末で表示された画面を受信側の端末で再現できる。
【発明の効果】
【００２１】
本発明によれば、パネル状態等の不要な情報の影響を受けることなく、送信側の端末で表示された画面を受信側の端末で再現することができる。
【図面の簡単な説明】
【００２２】
【図１】本発明に係る画面データ伝送システムの一例を示す概略図である。
【図２】本発明に係る画面データ送信端末の機能的な構成を示すブロック図である。
【図３】本発明に係る画面データ受信端末の機能的な構成を示すブロック図である。
【図４】画面データとして伝送される伝送パケット例を示す図である。
【図５】第１の実施形態に係る画面データの送信処理、受信処理の流れを示すフローチャートである。
【図６Ａ】画面データ送信端末の画面表示の一例を示す図である。
【図６Ｂ】画面データ送信端末の画面表示の一例を示す図である。
【図７】画面データ受信端末の画面表示の一例を示す図である。
【図８】第２の実施形態に係る画面データの送信処理、受信処理の流れを示すフローチャートである。
【発明を実施するための形態】
【００２３】
次に、本発明の実施の形態について、図面を参照しながら説明する。説明の理解を容易にするため、各図面において同一の構成要素に対しては同一の参照番号を付し、重複する説明は省略する。
【００２４】
［第１の実施形態］
図１は、画面データ伝送システムの一例を示す概略図である。画面データ伝送システム１０は、画面データ送信端末１００および画面データ受信端末２００を備えている。図１に示す例では、画面データ送信端末１００はテレビジョン受像機であり、画面データ受信端末２００は外部のＰＣである。図１に示す例では、電話等によりユーザ１５０がオペレータ２５０に遠隔操作を依頼し、オペレータ２５０の操作過程で画面データ送信端末１００から画面データ受信端末２００へ画面データが送られている。
【００２５】
このように画面データが伝送されることで、オペレータ２５０は、画面データ受信端末２００で画面データ送信端末１００の画面表示を見ることができ、トラブルの分析や遠隔操作が可能になる。なお、図１に示す画面データ伝送システム１０は一例であり、画面データ伝送システム１０はこのような形態に限定されない。また、画面データとは、画面データ受信端末２００において、画面データ送信端末１００で表示された画面を再現するためのデータであり、画面データ送信端末１００が受信した元の画像データだけでなく、画面の設定情報を含む。
【００２６】
図２は、画面データ伝送システム１０における画面データ送信端末１００の機能的な構成を示すブロック図である。画面データ送信端末１００は、ＲＦ部１０１、復調部１０２、画像生成部１０３、表示プレーン部１０４、キャプチャ部１０５、画像圧縮部１０６、ＵＩ部１０７、ユーザ設定情報管理部１０８、画質用情報管理部１０９、画調反映部１１０、パネル用情報管理部１１１、表示部１１２、画面データ管理部１１３、通信部１１４および遠隔操作制御部１１５から構成される。
【００２７】
ＲＦ部１０１は放送信号を受信する。復調部１０２は受信信号を復調する。画像生成部１０３は、復調された受信信号に基づいて画像データを生成し、表示用のバッファである表示プレーン部１０４に送る。表示プレーン部１０４は、得られた画像データを記憶する。
【００２８】
ＵＩ部１０７は、リモコン、キーボード、マウスなどであり、ユーザ１５０の操作を受け付ける。たとえば、送信側ユーザ設定情報の変更命令を受け付けることができる。ユーザ設定情報管理部１０８は、ＵＩ部１０７により設定された送信側ユーザ設定情報を管理する。たとえば、ＵＩ部１０７より受けた変更命令などをもとに「明るさ」、「ダイナミック」、「明るさセンサー」、「映像」、「色調」、「ＡＶポジション（標準、映画モード、ゲームモード等）」、「色の濃さ」、「色合い」等を変更する。また、管理するユーザ設定情報を画質用情報管理部１０９に送る。
【００２９】
画質用情報管理部１０９は、ユーザ設定情報を受け取り、機種ごとに定められている送信側画質用情報を管理する。また、画質用情報管理部１０９は、管理する送信側画質用情報を画調反映部１１０と画面データ管理部１１３に送る。
【００３０】
画調反映部１１０は、送信側画質用情報と表示プレーン部１０４が記憶する画像データとをもとに表示画面を生成し、表示部１１２に送る。パネル用情報管理部１１１は機器ごとに定められた送信側パネル用情報を管理する。そして、パネル用情報管理部１１１は、送信側パネル用情報を表示部１１２と画面データ管理部１１３に送る。
【００３１】
キャプチャ部１０５は、表示プレーン部１０４に記憶された画像データを取得し、画像圧縮部１０６に送る。これにより、元の画像データのみを取得することができ、余分な情報を省くことができる。このように、元の画像データと設定データとを分けるため、元の画像データを圧縮することも可能であり、効率的な送受信が可能となる。画像圧縮部１０６はキャプチャ部１０５より受け取った画像データを圧縮し、画面データ管理部１１３に送る。画面データ管理部１１３は、キャプチャされた元の画像データ、送信側ユーザ設定情報、送信側画質用情報、および送信側パネル用情報を画面データとして、通信部１１４に送る。これにより、パネル状態等の不要な情報の影響を受けることなく、画面データ送信端末１００で表示された画面を画面データ受信端末２００で再現できる。
【００３２】
また、画面データ受信端末２００で、端末固有の画質用情報やパネル情報を反映して画面を再現することができる。また、画面データ管理部１１３は、画面データを送信するタイミングを管理する。これにより、キャプチャされた元の画像データが変化したときに送信したり、表示フレーム更新ごとに送信したり、状況に応じて効率的な送受信を可能とする。また、画面データ管理部１１３は、画面データの送信中に、画面データの送信中であることを表示部１１２に表示する。これにより、ユーザは画面データの送信中であることを知ることができ、オペレータとの同じ画面を見ながら話すことができる。また、画面データ管理部１１３は遠隔操作の指示を受けたときには、遠隔操作を実行し、たとえばユーザ設定情報管理部１０８が管理するユーザ設定情報を変更する。
【００３３】
通信部１１４は、画面データを画面データ受信端末２００へ送信する。遠隔操作制御部１１５は、通信部１１４を介して画面データ受信端末２００の遠隔操作の指示を受信し、画面データ管理部１１３に遠隔操作の指示を与える。
【００３４】
図３は、画面データ伝送システム１０における画面データ受信端末２００の機能的な構成を示すブロック図である。画面データ受信端末２００は、通信部２０１、画像生成部２０２、表示プレーン部２０３、画調反映部２０４、ＵＩ部２０５、ユーザ設定情報管理部２０６、画質用情報管理部２０７、パネル用情報管理部２０８、表示部２０９および遠隔操作制御部２１０から構成される。なお、通信部２０１等は、送信側の通信部１１４等と名称が重複するが、それぞれ送信側通信部、受信側通信部と記載して区別することも可能である。他の各部についても同様である。画面データ送信端末１００と画面データ受信端末２００とは、ネットワークＮを介して結ばれている。
【００３５】
通信部２０１は、画面データ送信端末１００より画面データを受け取る。画像生成部２０２は、画面データをもとに元の画像データを表示プレーン部２０３に送り、送信側ユーザ設定情報をユーザ設定情報管理部２０６に送る。また、送信側画質用情報を画質用情報管理部２０７に送り、送信側パネル用情報をパネル用情報管理部２０８に送る。
【００３６】
表示プレーン部２０３は、表示用のバッファであり、元の画像データを受け取り、記憶する。ＵＩ部２０５は、リモコン、キーボード、マウスなどであり、ユーザの操作により受信側ユーザ設定情報の変更命令を受け付ける。ユーザ設定情報管理部２０６は、ＵＩ部２０５が受けた変更命令と送信側ユーザ設定情報をもとに受信側ユーザ設定情報を生成し、画質用情報管理部２０７に送る。
【００３７】
画質用情報管理部２０７は、受信側ユーザ設定情報と送信側画質用情報をもとに送信側画質用情報を再現し、画調反映部２０４に送る。画調反映部２０４は、表示プレーン部２０３の画像データと受信側画質用情報をもとに画質調整を行い、表示部２０９に表示する。パネル用情報管理部２０８は、送信側パネル用情報をもとに受信側パネル用情報を設定し、表示部２０９に送る。このようにして、画面データ送信端末１００の表示画面が、画面データ受信端末２００で再現され、表示される。遠隔操作制御部２１０は、ＵＩ部２０５が受け付けたオペレータによる遠隔操作を画面データ送信端末１００に送信する。
【００３８】
図４は、画面データ送信端末１００の通信部１１４と画面データ受信端末２００の通信部２０１との間で伝送される画面データの伝送パケット例を示す図である。図４に示すように、伝送パケットは、ヘッダ情報部４０１、元画像データ部４０２、ユーザ設定情報部４０３、画質用情報部４０４およびパネル用情報部４０５から構成されている。ヘッダ情報部４０１は、宛先を表すアドレス等の制御情報を含むＴＣＰヘッダである。元画像データ部４０２は、伝送される元の画像データを含んでいる。ユーザ設定情報部４０３は、送信側ユーザ設定情報を含んでいる。画質用情報部４０４は、送信側画質用設定情報を含んでいる。パネル用情報部４０５は、送信側パネル用設定情報を含んでいる。
【００３９】
次に、画面データ送信端末１００および画面データ受信端末２００における画面データ送信処理、受信処理の流れを説明する。図５は、画面データ送信端末１００および画面データ受信端末２００の特徴的な動作を示すシーケンスチャートである。各ステップについて以下に説明する。
【００４０】
まず、画面データ送信端末１００のキャプチャ部１０５が、画像生成部１０３から表示プレーン部１０４に送られる元の画像データを取得する（ステップＳ１）。次に、画面データ管理部１１３はユーザ設定情報管理部１０８から送信側ユーザ設定情報を取得し（ステップＳ２）、送信側ユーザ設定情報を通信部１１４へ送る。画面データ管理部１１３は、画質用情報管理部１０９から送信側画質用情報を取得し、通信部１１４へ送信側画質用情報を送る（ステップＳ３）。そして、画面データ管理部１１３は、パネル用情報管理部１１１より送信側パネル用情報を、取得し通信部１１４へ送る（ステップＳ４）。
【００４１】
次に、通信部１１４は、キャプチャされた元の画像データ、送信側ユーザ設定情報、送信側画質用情報および送信側パネル用情報を画面データとして画面データ受信端末２００へ送信し、画面データ受信端末２００は画面データを受信する（ステップＳ５）。
【００４２】
画面データ受信端末２００は、受信した画面データをもとに表示プレーン部２０３に画像データを送り（ステップＳ６）、ユーザ設定情報管理部２０６へ送信側ユーザ設定情報を送る（ステップＳ７）。そして、受信した画面データをもとに送信側画質用設定情報を画質用情報管理部２０７へ送り（ステップＳ８）、送信側パネル用設定情報をパネル用情報管理部２０８へ送る（ステップＳ９）。次に、画調反映部２０４とパネル用情報管理部２０８の情報をもとに表示部２０９に再現された画面を表示する（ステップＳ１０）。
【００４３】
上記フローを画面データ送信端末１００の表示フレーム更新ごとに行うことにより、画面データ受信端末２００にて画面データ送信端末１００と同じ画面表示を再現することができる。
【００４４】
次に、画面表示例を説明する。図６Ａは、画面データ送信端末１００に表示される画面例６０１である。また、画面データ送信端末１００は、図６Ｂに示すように画面表示の一部に画面データ送信中であることを表示する領域６０３を設けて画面例６０２としてもよい。
【００４５】
一方、画面データ受信端末２００は、画面データを受信し、表示部２０９に画面を再現する。図７は、画面データ受信端末２００が表示する画面例７０１である。画面例７０１が示すように、画面データ送信端末１００から受信した表示画面を画面全体より小さく表示する。そして、接続番号が画面上端に表示され画面右端には、再現した画面の編集用に明るさと色合いの調整バーが示されている。
【００４６】
［第２の実施形態］
上記の実施形態では画面データ送信端末１００から画面データ受信端末２００へ、キャプチャされた元の画像データ、送信側ユーザ設定情報、送信側画質用情報および送信側パネル用情報を、画面データとして伝送しているが、送信側画質用情報および送信側パネル用情報を送信せず、キャプチャされた元の画像データおよび送信側ユーザ設定情報を画面データとして伝送する構成としてもよい。これにより、パネル状態等の不要な情報の影響を受けることなく、送信側の端末で表示された画面を受信側の端末で再現できる。その結果、同じ画面を再現し、ユーザ設定の誤りを発見することができる。
【００４７】
画面データ送信端末１００と画面データ受信端末２００で同じ構成の装置を用いている場合、画面データ送信端末１００から画面データ受信端末２００にキャプチャされた元の画像と送信側ユーザ設定情報を伝送し、受信側ユーザ設定情報を変更することにより、画面データ送信端末１００と画面データ受信端末２００で同じ画面表示を実現する。また、画面データ送信端末１００と画面データ受信端末２００で異なる機種を用いている場合でも、上記の方法を用いれば、画面データ送信端末１００における送信側ユーザ設定情報の明らかな誤り（画面表示が赤っぽい等）を確認することができる。
【００４８】
次に、第２の実施形態における画面データ送信端末１００と画面データ受信端末２００の処理の流れを説明する。図８は、画面データ送信端末１００および画面データ受信端末２００における画面データ送信処理、受信処理の流れを示したフローチャートである。以下に各ステップについて説明する。
【００４９】
まず、画面データ送信端末１００のキャプチャ部１０５が、画像生成部１０３から表示プレーン部１０４に送られた画像データを取得する（ステップＴ１）。次に、画面データ管理部１１３は、ユーザ設定情報管理部１０８から送信側ユーザ設定情報を取得し（ステップＴ２）、通信部１１４へ送る。通信部１１４は、上記キャプチャされた元の画像データおよびユーザ設定情報を画面データとして画面データ受信端末２００の通信部２０１へ送信し、通信部２０１は画面データを取得する（ステップＴ３）。
【００５０】
画像生成部２０２は、通信部２０１を介して取得した画面データをもとに表示プレーン部２０３にキャプチャされた元の画像データを送り（ステップＴ４）、表示プレーン部２０３は画像データを記憶する。次に、画像生成部２０２は、送信側ユーザ設定情報をユーザ設定情報管理部２０６に伝送する（ステップＴ５）。そして、画面データ受信端末２００にて画面データ送信端末１００で表示された画面を表示する（ステップＴ６）。これにより、送信側の画面と同じ画面を再現し、ユーザ設定の明らかな誤り等を発見することができる。
【００５１】
なお、以上に開示した実施の形態は例示であって、その範囲のみに発明を限定するものではない。上記例では、画面データ送信端末１００から画面データ受信端末２００に対して、キャプチャ画面データを毎フレーム送信していたが、キャプチャされた元の画像データの変化量が少ない場合は、キャプチャされた元の画像データが変化した場合のみ送信し、通信帯域を節約してもよい。また、画面設定情報は変更がある場合のみ送るようにしてもよい。
【符号の説明】
【００５２】
１０  画面データ伝送システム
１００  画面データ送信端末
１０１  ＲＦ部
１０２  復調部
１０３  画像生成部（送信側画像生成部）
１０４  表示プレーン部（送信側表示プレーン部）
１０５  キャプチャ部
１０６  画像圧縮部
１０７  ＵＩ部（送信側ＵＩ部）
１０８  ユーザ設定情報管理部（送信側ユーザ設定情報管理部）
１０９  画質用情報管理部（送信側画質用情報管理部）
１１０  画調反映部（送信側画調反映部）
１１１  パネル用情報管理部（送信側パネル用情報管理部）
１１２  表示部（送信側表示部）
１１３  画面データ管理部
１１４  通信部（送信側通信部）
１１５  遠隔操作制御部（送信側遠隔操作制御部）
１５０  ユーザ
２００  画面データ受信端末
２０１  通信部（受信側通信部）
２０２  画像生成部（受信側画像生成部）
２０３  表示プレーン部（受信側表示プレーン部）
２０４  画調反映部（受信側画調反映部）
２０５  ＵＩ部（受信側ＵＩ部）
２０６  ユーザ設定情報管理部（受信側ユーザ設定情報管理部）
２０７  画質用情報管理部（受信側画質用情報管理部）
２０８  パネル用情報管理部（受信側パネル用情報管理部）
２０９  表示部（受信側表示部）
２１０  遠隔操作制御部（受信側遠隔操作制御部）
２５０  オペレータ
４０１  ヘッダ情報部
４０２  元画像データ部
４０３  ユーザ設定情報部
４０４  画質用情報部
４０５  パネル用情報部
６０１  画面例
６０２  画面例
６０３  領域
７０１  画面例
【図１】
2010288117.tif 000003
【図２】
2010288117.tif 000004
【図３】
2010288117.tif 000005
【図４】
2010288117.tif 000006
【図５】
2010288117.tif 000007
【図６Ａ】
2010288117.tif 000008
【図６Ｂ】
2010288117.tif 000009
【図７】
2010288117.tif 000010
【図８】
2010288117.tif 000011
【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
表示画面のデータを送信する画面データ送信端末であって、
受信した元の画像データの画調に、ユーザにより設定されるユーザ設定情報を反映させる送信側画調反映部と、
前記ユーザ設定情報を反映させた画面を表示する送信側表示部と、
前記ユーザ設定情報を取得する送信側画面データ管理部と、を備え、
前記送信側画面データ管理部は、前記元の画像データおよび前記取得されたユーザ設定情報を送信し、
送信先の端末で前記送信された元の画像データおよびユーザ設定情報を用いて表示画面を再現可能にすることを特徴とする画面データ送信端末。
【請求項２】
前記送信側画調反映部は、前記元の画像データの画調に、画質を決める画質用情報および画面表示用のパネルの特性を決めるパネル用情報を反映させ、
前記送信側画面データ管理部は、前記画質用情報およびパネル用情報を取得し、前記元の画像データ、前記取得されたユーザ設定情報、前記画質用情報およびパネル用情報を送信することを特徴とする請求項１記載の画面データ送信端末。
【請求項３】
前記元の画像データを一時的に記憶する表示プレーン部と、
前記記憶された元の画像データを取得するキャプチャ部と、を更に備えることを特徴とする請求項１または請求項２記載の画面データ送信端末。
【請求項４】
前記取得された元の画像データを圧縮する画像圧縮部を更に備えることを特徴とする請求項３記載の画面データ送信端末。
【請求項５】
前記送信側画面データ管理部は、前記元の画像データおよび前記取得されたユーザ設定情報を送信するタイミングを管理することを特徴とする請求項１から請求項４のいずれかに記載の画面データ送信端末。
【請求項６】
前記送信側画面データ管理部は、前記元の画像データおよび前記取得されたユーザ設定情報の送信中に、前記元の画像データおよび前記取得されたユーザ設定情報の送信中であることを前記送信側表示部に表示することを特徴とする請求項１から請求項５のいずれかに記載の画面データ送信端末。
【請求項７】
画面データ送信端末の表示画面のデータを受信する画面データ受信端末であって、
前記画面データ送信端末で受信された元の画像データおよび前記画面データ送信端末でユーザにより設定されたユーザ設定情報を受信する受信側通信部と、
前記ユーザ設定情報を前記元の画像データの画調に反映させる受信側画調反映部と、
前記ユーザ設定情報を反映させた画面を表示する受信側表示部と、を備え、
前記画面データ送信端末の表示画面を再現可能にすることを特徴とする画面データ受信端末。
【請求項８】
前記受信側通信部は、前記画面データ送信端末の画質用情報およびパネル情報を受信し、
前記受信側画調反映部は、前記受信した情報に基づいて、前記元の画像データの画調に、画質を決める画質用情報および画面表示用のパネルの特性を決めるパネル用情報を反映させることを特徴とする請求項７記載の画面データ受信端末。
【請求項９】
請求項１から請求項６のいずれかに記載の画面データ送信端末と、
請求項７または請求項８記載の画面データ受信端末と、を備え、
前記画面データ送信端末は、前記画面データ受信端末からの遠隔操作を受けることを特徴とする画面データ伝送システム。
【請求項１０】
表示画面のデータを送信する画面データ送信プログラムであって、
ユーザにより設定されるユーザ設定情報を取得する処理と、
受信した元の画像データおよび前記取得されたユーザ設定情報を送信する処理と、を画面データ送信端末に実行させ、
前記送信された元の画像データおよびユーザ設定情報を用いて画面データ受信端末で表示画面を再現可能にすることを特徴とする画面データ送信プログラム。
【請求項１１】
画面データ送信端末の表示画面のデータを受信する画面データ受信プログラムであって、
前記画面データ送信端末で受信された元の画像データおよび前記画面データ送信端末でユーザにより設定されたユーザ設定情報を受信する処理と、
前記ユーザ設定情報を前記元の画像データの画調に反映させる処理と、
前記ユーザ設定情報を反映させた画面を表示する処理と、を画面データ受信端末に実行させ、
前記画面データ送信端末の表示画面を再現可能にすることを特徴とする画面データ受信プログラム。
【請求項１２】
画面データ送信端末において、表示画面のデータを送信する画面データ送信方法であって、
ユーザにより設定されるユーザ設定情報を取得するステップと、
受信した元の画像データおよび前記取得されたユーザ設定情報を送信するステップと、を含み、
前記送信された元の画像データおよびユーザ設定情報を用いて画面データ受信端末で表示画面を再現可能にすることを特徴とする画面データ送信方法。
【請求項１３】
画面データ受信端末において、画面データ送信端末の表示画面のデータを受信する画面データ受信方法であって、
前記画面データ送信端末で受信された元の画像データおよび前記画面データ送信端末でユーザにより設定されたユーザ設定情報を受信するステップと、
前記ユーザ設定情報を前記元の画像データの画調に反映させるステップと、
前記ユーザ設定情報を反映させた画面を表示するステップと、を含み、
前記画面データ送信端末の表示画面を再現可能にすることを特徴とする画面データ受信方法。
【手続補正２】
【補正対象書類名】明細書
【補正対象項目名】００１８
【補正方法】変更
【補正の内容】
【００１８】
（１１）また、本発明の画面データ受信プログラムは、画面データ送信端末の表示画面のデータを受信する画面データ受信プログラムであって、前記画面データ送信端末で受信された元の画像データおよび前記画面データ送信端末でユーザにより設定されたユーザ設定情報を含む画面データを受信する処理と、前記ユーザ設定情報を前記元の画像データの画調に反映させる処理と、前記ユーザ設定情報を反映させた画面を表示する処理と、を画面データ受信端末に実行させ、前記画面データ送信端末の表示画面を再現可能にすることを特徴としている。これにより、パネル状態等の不要な情報の影響を受けることなく、送信側の端末で表示された画面を受信側の端末で再現できる。
【手続補正３】
【補正対象書類名】明細書
【補正対象項目名】００２０
【補正方法】変更
【補正の内容】
【００２０】
（１３）また、本発明の画面データ受信方法は、画面データ受信端末において、画面データ送信端末の表示画面のデータを受信する画面データ受信方法であって、前記画面データ送信端末で受信された元の画像データおよび前記画面データ送信端末でユーザにより設定されたユーザ設定情報を含む画面データを受信するステップと、前記ユーザ設定情報を前記元の画像データの画調に反映させるステップと、前記ユーザ設定情報を反映させた画面を表示するステップと、を含み、前記画面データ送信端末の表示画面を再現可能にすることを特徴としている。これにより、パネル状態等の不要な情報の影響を受けることなく、送信側の端末で表示された画面を受信側の端末で再現できる。